【手続補正書】
【提出日】平成21年3月27日(2009.3.27)
【手続補正１】
【補正対象書類名】特許請求の範囲
【補正対象項目名】全文
【補正方法】変更
【補正の内容】
【特許請求の範囲】
【請求項１】
極短繰返し光パルスからなる入力繰返し光パルス信号の光パルスのパルス幅を決定する装置であって、前記装置が２光子吸収光検出器を含み、前記２光子吸収光検出器が、活性領域と、それらの間に前記活性領域が位置する間隔を置いて配置された第１および第２の反射手段とを含むマイクロキャビティの形態で提供され、その中で光が共振して、２光子吸収効果の結果として光電流を生み出し、前記活性領域ならびに前記第１および第２の反射手段が、前記マイクロキャビティ内での光の共振寿命が、パルス幅を決定する対象である光パルスのパルス幅よりも短くなるように構成されており、前記装置がさらに、その中で共振させるために前記入力繰返し光パルス信号を前記マイクロキャビティ内へ誘導し、その中で共振させるために極短繰返し光パルスからなる基準繰返し光パルス信号を前記マイクロキャビティ内へ誘導する光誘導手段と、前記入力光パルス信号の前記光パルスのパルス幅がそれによって決定されるパルス光電流を生み出すために、それぞれの前記入力および基準光パルス信号の前記光パルスが前記マイクロキャビティに入るときの位相を互いに対して次第に変化させる手段とを含む装置。
【請求項２】
前記マイクロキャビティ内での光の前記共振寿命が、パルス幅を決定する対象である光パルスのパルス幅の０．１から０．９倍の範囲にあるように、前記活性領域ならびに前記第１および第２の反射手段が構成された、請求項１に記載の装置。
【請求項３】
前記第２の反射手段の反射率が前記第１の反射手段の反射率よりも大きい、請求項１又は２に記載の装置。
【請求項４】
前記第１の反射手段の反射率が０．０５から０．９９の範囲にあり、前記第２の反射手段の反射率が０．０５から０．９９の範囲にある、請求項１から３のいずれかに記載の装置。
【請求項５】
前記第１の反射手段と前記第２の反射手段との間の前記活性領域の垂直長さが、パルス幅を決定する対象である光パルスの波長の関数であるように構成された、請求項１から４のいずれかに記載の装置。
【請求項６】
前記活性領域が、パルス幅を決定する対象である光パルスの波長の光が前記マイクロキャビティ内で共振するような材料を含む、請求項１から５のいずれかに記載の装置。
【請求項７】
前記第１の反射手段が入射面を画定し、前記光誘導手段が、少なくとも前記入力光パルス信号を前記入射面を通して前記マイクロキャビティ内に誘導するように構成された、請求項１から６のいずれかに記載の装置。
【請求項８】
前記光誘導手段が、前記基準光パルス信号を前記入射面を通して前記マイクロキャビティ内に誘導するように構成された、請求項７に記載の装置。
【請求項９】
前記基準光パルス信号が、前記入力光パルス信号の波長と同様の波長を有するように選択され、前記光誘導手段が、前記入力光パルス信号と前記基準光パルス信号とを同様の入射角で前記入射面に誘導するように構成された、請求項７または８に記載の装置。
【請求項１０】
前記基準光パルス信号が、前記入力光パルス信号の前記波長とは異なる波長を有するように選択され、前記光誘導手段が、前記入力光パルス信号が前記入射面に誘導されるときの入射角とは異なる入射角で前記基準光パルス信号を前記入射面に誘導するように構成された、請求項７または８に記載の装置。
【請求項１１】
前記光誘導手段が、前記入力光パルス信号の波長の光が前記マイクロキャビティ内で共振するときの入射角に対応する入射角で前記入力光パルス信号を前記入射面に誘導するように構成された、請求項７から１０のいずれかに記載の装置。
【請求項１２】
前記光誘導手段が、前記基準光パルス信号の波長の光が前記マイクロキャビティ内で共振するときの入射角に対応する入射角で前記基準光パルス信号を前記入射面に誘導するように構成された、請求項７から１０のいずれかに記載の装置。
【請求項１３】
所定の波長範囲内の波長の入力光パルス信号の光パルスのパルス幅を決定する前記装置の調整を容易にするために少なくとも前記入力光パルス信号が前記入射面に誘導されるときの入射角を変化させるため、前記２光子吸収検出器と前記光誘導手段とのうちの一方がもう一方に対して可動である、請求項７から１２のいずれかに記載の装置。
【請求項１４】
前記所定の波長範囲の最大波長の光が前記入射面に垂直に入射したときにその光が前記マイクロキャビティ内で共振するように、前記２光子吸収光検出器が構成された、請求項１３に記載の装置。
【請求項１５】
前記光誘導手段が、前記入力光パルス信号を前記入射面に誘導する第１の光誘導手段を含む、請求項１３又は１４に記載の装置。
【請求項１６】
前記第１の光誘導手段が前記２光子吸収光検出器に対して可動である、請求項１５に記載の装置。
【請求項１７】
前記光誘導手段が、前記第１の光誘導手段とは独立に前記基準光パルス信号を前記入射面に誘導する第２の光誘導手段を含む、請求項１５または１６に記載の装置。
【請求項１８】
前記第２の光誘導手段が前記２光子吸収光検出器に対して可動である、請求項１７に記載の装置。
【請求項１９】
前記入力光パルス信号が前記入射面に入射したときの入射角を監視する監視手段が提供され、前記監視手段が、前記パルス光電流と、前記入力光パルス信号が前記入射面に誘導されたときの入射角とに応答して、前記入力光パルス信号の波長を決定する、請求項１３から１８のいずれかに記載の装置。
【請求項２０】
それぞれの前記入力および基準光パルス信号の前記光パルスが前記マイクロキャビティに入るときの位相を互いに対して次第に変化させる前記手段が可変遅延手段を含み、前記マイクロキャビティに誘導される前に、前記入力光パルス信号と前記基準光パルス信号とのうちの一方が前記可変遅延手段に通される、請求項１から１９のいずれかに記載の装置。
【請求項２１】
前記マイクロキャビティ内へ誘導される前に前記入力光パルス信号と前記基準光パルス信号とを結合する偏光光結合器が提供された、請求項１から２０のいずれかに記載の装置。
【請求項２２】
前記基準光パルス信号が前記入力光パルス信号から得られる、請求項１から２１のいずれかに記載の装置。
【請求項２３】
前記入力光パルス信号から前記基準光パルス信号を分割する偏光スプリッタが提供された、請求項２２に記載の装置。
【請求項２４】
前記基準光パルス信号の光パルスのパルス幅が、前記入力光パルス信号の光パルスのパルス幅と同様であるように、前記基準光パルス信号が選択される、請求項１から２３のいずれかに記載の装置。
【請求項２５】
前記基準光パルス信号の光パルスの繰返し数が、前記入力光パルス信号の光パルスの繰返し数と同様であるように、前記基準光パルス信号が選択される、請求項１から２４のいずれかに記載の装置。
【請求項２６】
前記基準光パルス信号の光パルスのパルス幅が、前記入力光パルス信号の光パルスのパルス幅とは異なるように、前記基準光パルス信号が選択される、請求項１から２３のいずれかに記載の装置。
【請求項２７】
前記基準光パルス信号の光パルスの繰返し数が、前記入力光パルス信号の光パルスの繰返し数の倍数値または分数値となるように、前記基準光パルス信号が選択される、請求項１から２４のいずれかに記載の装置。
【請求項２８】
パルス幅が５００ピコ秒以下の光パルスのパルス幅を決定するように構成された、請求項１から２７のいずれかに記載の装置。
【請求項２９】
前記パルス光電流を監視し、監視された前記パルス光電流から、前記入力光パルス信号の光パルスのパルス幅を決定する監視手段が提供された、請求項１から２８のいずれかに記載の装置。
【請求項３０】
極短繰返し光パルスからなる入力繰返し光パルス信号の光パルスのパルス幅を決定する方法であって、前記方法が、マイクロキャビティの形態の２光子吸収検出器を提供する段階を含み、それによって、前記マイクロキャビティが、活性領域と、それらの間に前記活性領域が位置する間隔を置いて配置された第１および第２の反射手段とを含み、その中で光が共振して、２光子吸収効果の結果として光電流を生み出し、前記方法がさらに、前記マイクロキャビティ内での光の共振寿命が、パルス幅を決定する対象である光パルスのパルス幅よりも短くなるように、前記活性領域ならびに前記第１および第２の反射手段を選択する段階と、その中で共振させるために前記入力繰返し光パルス信号を前記マイクロキャビティ内へ誘導する段階と、その中で共振させるために極短繰返し光パルスからなる基準繰返し光パルス信号を前記マイクロキャビティ内へ誘導する段階と、前記入力光パルス信号の前記光パルスのパルス幅がそれによって決定されるパルス光電流を生み出すために、それぞれの前記入力および基準光パルス信号の前記光パルスが前記マイクロキャビティに入るときの位相を互いに対して次第に変化させる段階とを含む方法。
【請求項３１】
持続時間が極短入力光パルスの所定の波長範囲内の複数の波長のうちの任意の１つの波長の光を検出する光検出デバイスであって、前記光検出デバイスが、その中で入射光が共振して、２光子吸収効果の結果として検出可能な光電流を生み出す活性領域を含む２光子吸収検出器を含み、前記２光子吸収検出器が、そこを通して前記活性領域に入る入射光を受け取る入射面を画定し、前記光検出デバイスがさらに、前記入力光パルスを前記入射面を通して前記活性領域内に誘導する光誘導手段を含み、前記入力光パルスの前記光が決定された波長の光を含むときに、前記入力光パルスの前記光が前記活性領域内で共振して、前記検出可能な光電流を生み出すように前記光検出デバイスが応答する前記入力光パルスの波長を決定するために、前記入力光パルスが前記入射面に入射するときの入射角に変化させるため、前記光誘導手段と前記２光子吸収検出器とのうちの一方がもう一方に対して可動である光検出デバイス。
【請求項３２】
所定の波長範囲内の波長の光パルスの波長を決定する装置であって、前記所定の波長範囲内の複数の波長のうちの任意の１つの波長の光を検出する請求項３１に記載の光検出デバイスと、検出可能な光電流が最大値をとるまで、前記２光子吸収検出器と前記光誘導手段のうちの一方を動かす手段と、前記光パルスの波長の決定を容易にするために、対応する前記入射面への光の入射角に相互参照された光の波長を含む相互参照手段とを含む装置。
【請求項３３】
持続時間が極短入力光パルスの所定の波長範囲内の複数の波長のうちの任意の１つの波長の光を検出する方法であって、前記方法が、その中で入射光が共振して、２光子吸収効果の結果として検出可能な光電流を生み出す活性領域を含む２光子吸収検出器を提供する段階を含み、前記２光子吸収検出器が、そこを通して前記活性領域に入る入射光を受け取る入射面を画定し、前記方法がさらに、前記入力光パルスを前記入射面を通して前記活性領域内に誘導する光誘導手段を提供する段階と、前記入力光パルスが決定された波長の光を含むときに、前記入力光パルスが前記活性領域内で共振して、前記検出可能な光電流を生み出すように前記光検出デバイスが応答する前記入力光パルスの波長を決定するために、前記入力光パルスが前記入射面に入射するときの入射角に変化させるため、前記光誘導手段と前記２光子吸収検出器とのうちの一方をもう一方に対して動かす段階とを含む方法。
【請求項３４】
所定の波長範囲内の波長の光パルスの波長を決定する方法であって、前記光パルスを前記入射面に誘導するために請求項３１に記載の光検出デバイスを動作させる段階と、前記入射面への前記光パルスの入射角を変化させるために、前記２光子吸収検出器と前記光誘導手段のうちの一方を動かす段階と、前記入射面への前記光パルスの入射角を変化させたときに前記光電流が最大値に達したことを検出する段階と、前記光電流が最大値に達したときの入射角から前記光の波長を決定する段階とを含む方法。